【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
液体を吐出するための複数の吐出口がそれぞれ配列された複数の吐出口列が設けられた基板を有する記録ヘッドを用いて記録を行う液体吐出装置であって、
前記複数の吐出口列それぞれについて、前記基板の温度を取得する取得手段と、
前記複数の吐出口列それぞれについて、液体を加熱する加熱手段と、
前記加熱手段による加熱を行い、前記取得手段によって取得された前記複数の吐出口列についての温度が前記複数の吐出口列それぞれの目標温度より高くなった後、前記記録ヘッドからの吐出を開始させるように吐出動作を制御する制御手段と、を備え、
前記複数の吐出口列のうちの第１の吐出口列を用い、且つ、前記第１の吐出口列と異なる第２の吐出口列を用いずに吐出動作を行う場合においては、前記第２の吐出口列の目標温度が前記第１の吐出口列の目標温度よりも低くなるように、前記複数の吐出口列それぞれの目標温度が定められていることを特徴とする液体吐出装置。
【請求項２】
前記第１の吐出口列と前記第２の吐出口列の両方を用いて吐出動作を行う場合においては、前記第１の吐出口列の目標温度と前記第２の吐出口列の目標温度が等しくなるように、前記複数の吐出口列それぞれの目標温度が定められていることを特徴とする請求項１に記載の液体吐出装置。
【請求項３】
前記複数の吐出口列は、前記第１の吐出口列との距離が前記第２の吐出口列よりも近い第３の吐出口列を更に含み、
前記第１の吐出口列を用いて、且つ、前記第２の吐出口列と前記第３の吐出口列を用いずに吐出動作を行う場合においては、前記第３の吐出口列の目標温度が、前記第２の吐出口列の目標温度よりも高く、且つ、前記前記第１の吐出口列の目標温度よりも低くなるように、前記複数の吐出口列それぞれの目標温度が定められていることを特徴とする請求項１または２に記載の液体吐出装置。
【請求項４】
液体を吐出するための複数の吐出口がそれぞれ配列された複数の吐出口列が設けられた基板を有する記録ヘッドを用いて記録を行う液体吐出装置であって、
前記複数の吐出口列それぞれについて、前記基板の温度を取得する取得手段と、
前記複数の吐出口列それぞれについて、前記取得手段によって取得された温度が停止温度よりも低い場合には加熱を行い、且つ、当該停止温度よりも高い場合には加熱を停止するように、液体を加熱する加熱手段と、
前記加熱手段による加熱を行った後、前記記録ヘッドからの吐出を開始させるように吐出動作を制御する制御手段と、を備え、
前記複数の吐出口列のうちの第１の吐出口列を用いて、且つ、前記第１の吐出口列と異なる第２の吐出口列を用いずに吐出動作を行う場合においては、前記第２の吐出口列の停止温度が前記第１の吐出口列の停止温度よりも低くなるように、前記複数の吐出口列それぞれの停止温度が定められていることを特徴とする液体吐出装置。
【請求項５】
前記第１の吐出口列と前記第２の吐出口列の両方を用いて吐出動作を行う場合においては、前記第１の吐出口列の停止温度と前記第２の吐出口列の停止温度が互いに等しくなるように、前記複数の吐出口列それぞれの停止温度が定められていることを特徴とする請求項４に記載の液体吐出装置。
【請求項６】
液体を吐出するための複数の吐出口がそれぞれ配列された複数の吐出口列が設けられた基板を有する記録ヘッドを用いて記録を行う液体吐出装置であって、
前記複数の吐出口列それぞれについて、前記基板の温度を取得する取得手段と、
前記複数の吐出口列それぞれについて、液体を加熱する加熱手段と、
前記加熱手段による加熱を行い、前記取得手段によって取得された前複数の吐出口列の温度が目標温度に到達した後、前記記録ヘッドからの吐出を開始させるように吐出動作を制御する制御手段と、を備え、
前記制御手段は、前記複数の吐出口列のうちの第１の吐出口列を用いて、且つ、前記第１の吐出口列と異なる第２の吐出口列を用いずに吐出動作を行う場合においては、前記第２の吐出口列の温度に関わらず、前記第１の吐出口列の温度が目標温度に到達したときに前記記録ヘッドからの吐出を開始させるように、吐出動作を制御することを特徴とする液体吐出装置。
【請求項７】
前記液体は、インクであることを特徴とする請求項１から６のいずれか１項に記載の液体吐出装置。
【請求項８】
前記第１の吐出口列は、シアンインク、マゼンタインク、イエローインク、ブラックインクのいずれかを吐出する吐出口列であって、前記第２の吐出口列は、ライトシアンインク、ライトマゼンタインクのいずれかを吐出する吐出口列であることを特徴とする請求項７に記載の液体吐出装置。
【請求項９】
液体を吐出するための複数の吐出口がそれぞれ配列された複数の吐出口列が設けられた基板を有する記録ヘッドを用いて記録を行う液体吐出方法であって、
前記複数の吐出口列それぞれについて、前記基板の温度を取得する取得工程と、
前記複数の吐出口列それぞれについて、液体を加熱する加熱工程と、
前記加熱工程による加熱を行い、前記取得工程によって取得された前記複数の吐出口列についての温度が前記複数の吐出口列それぞれの目標温度より高くなった後、前記記録ヘッドからの吐出を開始させるように吐出動作を制御する制御工程と、を有し、
前記複数の吐出口列のうちの第１の吐出口列を用い、且つ、前記第１の吐出口列と異なる第２の吐出口列を用いずに吐出動作を行う場合においては、前記第２の吐出口列の目標温度が前記第１の吐出口列の目標温度よりも低くなるように、前記複数の吐出口列それぞれの目標温度が定められていることを特徴とする液体吐出方法。
【請求項１０】
液体を吐出するための複数の吐出口がそれぞれ配列された複数の吐出口列が設けられた基板を有する記録ヘッドを用いて記録を行う液体吐出方法であって、
前記複数の吐出口列それぞれについて、前記基板の温度を取得する取得工程と、
前記複数の吐出口列それぞれについて、前記取得工程によって取得された温度が停止温度よりも低い場合には加熱を行い、且つ、当該停止温度よりも高い場合には加熱を停止するように、液体を加熱する加熱工程と、
前記加熱工程による加熱を行った後、前記記録ヘッドからの吐出を開始させるように吐出動作を制御する制御工程と、を有し、
前記複数の吐出口列のうちの第１の吐出口列を用いて、且つ、前記第１の吐出口列と異なる第２の吐出口列を用いずに吐出動作を行う場合においては、前記第２の吐出口列の停止温度が前記第１の吐出口列の停止温度よりも低くなるように、前記複数の吐出口列それぞれの停止温度が定められていることを特徴とする液体吐出方法。
【請求項１１】
液体を吐出するための複数の吐出口がそれぞれ配列された複数の吐出口列が設けられた基板を有する記録ヘッドを用いて記録を行う液体吐出方法であって、
前記複数の吐出口列それぞれについて、前記基板の温度を取得する取得工程と、
前記複数の吐出口列それぞれについて、液体を加熱する加熱工程と、
前記加熱工程による加熱を行い、前記取得工程によって取得された前複数の吐出口列の温度が目標温度に到達した後、前記記録ヘッドからの吐出を開始させるように吐出動作を制御する制御工程と、を有し、
前記制御工程は、前記複数の吐出口列のうちの第１の吐出口列を用いて、且つ、前記第１の吐出口列と異なる第２の吐出口列を用いずに吐出動作を行う場合においては、前記第２の吐出口列の温度に関わらず、前記第１の吐出口列の温度が目標温度に到達したときに前記記録ヘッドからの吐出を開始させるように、吐出動作を制御することを特徴とする液体吐出方法。
【手続補正２】
【補正対象書類名】明細書
【補正対象項目名】発明の名称
【補正方法】変更
【補正の内容】
【発明の名称】液体吐出装置および液体吐出方法
【手続補正３】
【補正対象書類名】明細書
【補正対象項目名】０００８
【補正方法】変更
【補正の内容】
【０００８】
上記課題を解決するために、本発明に係る液体吐出装置は、液体を吐出するための複数の吐出口がそれぞれ配列された複数の吐出口列が設けられた基板を有する記録ヘッドを用いて記録を行う液体吐出装置であって、前記複数の吐出口列それぞれについて、前記基板の温度を取得する取得手段と、前記複数の吐出口列それぞれについて、液体を加熱する加熱手段と、前記加熱手段による加熱を行い、前記取得手段によって取得された前記複数の吐出口列についての温度が前記複数の吐出口列それぞれの目標温度より高くなった後、前記記録ヘッドからの吐出を開始させるように吐出動作を制御する制御手段と、を備え、前記複数の吐出口列のうちの第１の吐出口列を用い、且つ、前記第１の吐出口列と異なる第２の吐出口列を用いずに吐出動作を行う場合においては、前記第２の吐出口列の目標温度が前記第１の吐出口列の目標温度よりも低くなるように、前記複数の吐出口列それぞれの目標温度が定められていることを特徴とする。